(57)【特許請求の範囲】
【請求項１】
ケーシングと、
前記ケーシングの一端側に設けられる送風機と、
前記ケーシングの内形より小形であり、噴霧方向に向けて前記ケーシングの他端側に設けられる貫通孔内であって、前記送風機からの気流に対して噴出方向が平行となり、且つ、前記貫通孔の他端側面と噴出孔の噴出端面とが面一となるよう配置される噴出管と、
前記ケーシングの他端側に設けられ、前記貫通孔に対する前記送風機からの気流の流量を調整する流量調整機構と、
前記噴出管の一端側に連結され、液体を収容するタンクと、
を備える噴霧器。
【請求項２】
前記噴出孔から噴出される液体に対する前記送風機からの気流の質量流量比が１以上に設定される請求項１に記載の噴霧器。
【請求項３】
前記貫通孔における後方側の内面にテーパー状に拡開する傾斜面が形成される請求項１又は請求項２に記載の噴霧器。
【発明の詳細な説明】
【技術分野】
【０００１】
本発明は、農薬等の薬液や種々の液体を噴霧する噴霧器に関するものである。
【背景技術】
【０００２】
従来より、小型、軽量であって、農薬等の薬液や種々の液体を微粒子状且つ均一化した状態で噴霧することができる噴霧器が公知である。例えば、出願人が発明した噴霧器において、ケーシングと、ケーシング内の一端に設けられる送風機と、ケーシングの他端に固定され、ケーシングの内形より小形の貫通孔が噴霧方向に向けて形成される噴頭体と、噴頭体に固定され、貫通孔内における送風機からの気流に対して噴出方向が所定角度を有するよう配置されるノズルと、ノズルに液送管を介して連結され、液体を収容するタンクとを備えるものが公知である（特許文献１参照）。
【先行技術文献】
【特許文献】
【０００３】
【特許文献１】特許第５５１７１３９号公報
【発明の概要】
【発明が解決しようとする課題】
【０００４】
しかしながら、特許文献１の構造では、送風機からの気流によって、ノズルの噴出孔から噴出される液体は、気液が衝突することによって液体が微粒化されるもの、いわゆる二流体噴霧器と呼ばれるものであるが、噴射孔から噴射される液体に対する送風機からの気流の質量流量比が１以下となり、農薬等の薬液や種々の液体を微粒子状且つ均一化した状態で噴霧可能なものであったが、その風量により飛散距離が制限されるものであった。
【０００５】
また、送風機からの気流に対して、噴出方向が所定角度を有するようノズルから分岐部が分岐して配置されるため、当該ノズルにおける加工の困難性、噴霧器全体としてのメンテナンス性が懸念されるものであった。
【０００６】
そこで、本発明はこのような問題点を解決するものであって、農薬等の薬液や種々の液体を微粒子状且つ均一化した状態で噴霧距離をさらに向上させるとともに、構造を簡素化しメンテナンス性の向上を実現した噴霧器を提供することを課題とする。
【課題を解決するための手段】
【０００７】
前記問題点を解決するために、本発明の請求項１に記載の噴霧器は、ケーシングと、前記ケーシングの一端側に設けられる送風機と、前記ケーシングの内形より小形であり、噴霧方向に向けて前記ケーシングの他端側に設けられる貫通孔内であって、前記送風機からの気流に対して噴出方向が平行となり、且つ、前記貫通孔の他端側面と噴射孔の噴出端面とが面一となるよう配置される噴出管と、前記噴出管の一端側に連結され、液体を収容するタンクとを備えるものである。
【０００８】
また、本発明の請求項２に記載の噴霧器は、請求項１に記載の噴霧器において、前記噴射孔から噴射される液体に対する前記送風機からの気流の質量流量比が１以上に設定されるものである。
【０００９】
また、本発明の請求項３に記載の噴霧器は、請求項１又は請求項２に記載の噴霧器において、前記ケーシングの他端側には、前記貫通孔に対する前記送風機からの気流の流量を調整する流量調整機構が設置されるものである。
【００１０】
また、本発明の請求項４に記載の噴霧器は、請求項１から請求項３のいずれか１項に記載の噴霧器において、前記貫通孔における一端側の内面にテーパー状に拡開する傾斜面が形成されるものである。
【発明の効果】
【００１１】
本発明の噴霧器では、農薬等の薬液や種々の液体を微粒子状且つ均一化した状態で噴霧距離をさらに向上させるとともに、構造を簡素化しメンテナンス性を向上することができる。
【図面の簡単な説明】
【００１２】
【図１】本発明の実施例における噴霧器の一部断面概略図である。
【図２】本発明の実施例における噴霧器の噴出孔近郊を拡大した一部省略拡大断面図である。
【図３】本発明の別実施例における噴霧器の噴出孔近郊を拡大した一部省略拡大断面図である。
【図４】本発明の実施例における噴霧器の流量調整機構を採用した噴出孔近郊を拡大した一部省略拡大断面図である。
【発明を実施するための形態】
【００１３】
以下、本発明の実施の形態における噴霧器を図面に基づいて説明する。当該噴霧器において、噴霧液が散布される側を前方（又は他端側）とし、他方を後方（一端側）とする。
【実施例】
【００１４】
本発明の実施例に係る噴霧器１０は、図１及び図２に示すように、主に、ケーシング２０と、ケーシング２０内に設置される送風機３０と、ケーシング２０における前方の端部に形成される貫通孔２１の内部に配置される噴出管４０と、噴出管４０に連結されるタンク６０とを備えて構成される。
【００１５】
噴霧器１０は、例えば、基台（図示しない）の一端部にケーシング２０を設置し、他端部にタンク６０を設置してなる。また、基台には、噴霧器１０を持ち運びするための把持部を設けることもできるし、移動可能となるようキャスター等の移動手段を設けることもできる。
【００１６】
ケーシング２０は、両端に開口面積が相違する開口部を有し、略円筒状に形成されてなる。ケーシング２０は、例えば、絞り効果により気流に圧力変化を生じさせることができるよう、一端部（後方側）を大径に開口するとともに、他端部（前方側）が小径となるよう形成されることが望ましい。このとき、ケーシング２０は、大径側における長手方向の所定位置から小径側にかけて傾斜部を設けるように形成することもできるし、大径側と小径側とを同軸上に連結して形成することもできる。また、ケーシング２０の内部において、大径側と小径側とを区画して形成することもできる。ケーシング２０は、当該小径が基台の外側方向に位置するよう設置される。
【００１７】
そして、当該ケーシング２０における一端部の大径側の内部には送風機３０が設置され、他端部における小径側の内部には、送風機３０からの気流が流入する貫通孔２１が形成される。当該貫通孔２１は、ケーシング２０の噴霧方向に向けて形成される。具体的に、貫通孔２１は、絞り効果により気流に圧力変化を生じさせるため、ケーシング２０における小径側の内形より小形に形成される。
【００１８】
また、貫通孔２１の形状は、絞り効果により気流に圧力変化を生じさせるよう、適宜変更することができるのは勿論である。例えば、図３に示すように、貫通孔２１における一端側（後方側）の内面にテーパー状に拡開する傾斜面２４を形成することもできる。これにより、送風機３０から貫通孔２１へと流入される際の壁面との衝突による気流の圧力低下を防止することができる。また、貫通孔２１は、小径側における壁面の略中央部に１個形成させることもできるし、適宜位置に等間隔を有した状態で複数個形成させることもできる。例えば、小径側の壁面において、複数個の貫通孔２１を環状に配列させることもできる。
【００１９】
送風機３０は、高速気流を発生させるものであり、例えば、設定される噴霧量に対して、後述の噴射される液体に対する気流の質量流量比が２〜５程度となる風量を発生させる機能を有するものであれば、特に制限されるものではない。
【００２０】
本実施例においては、図１及び図２に示すように、ケーシング２０は、大径からなるケーシング本体２２と、小径からなる送風管２３とをそれぞれの中心軸を同軸上となるよう配設し、両者を連結して構成される。当該ケーシング本体２２における一端部の内部には送風機３０が設置され、送風管２３における他端部の壁面の略中央部には貫通孔２１が形成される。このとき、ケーシング本体２２及び送風管２３は、ケーシング本体２２の内形から貫通孔２１の内径にかけて段階的に気流に圧力変化を生じさせるように形成される。具体的には、ケーシング本体２２の内形は、送風管２３の内形より大きくなるよう形成されるとともに、送風管２３の内形は、貫通孔２１の内径より大きくなるよう形成される。すなわち、ケーシング本体２２の一端部側から貫通孔２１にかけて、送風機３０からの気流の流速が増加するよう構成される。
【００２１】
噴出管４０は、液送管５０を介してタンク６０に連結され、タンク６０内に収容される農薬等の薬液や種々の液体を噴出するものである。当該噴出管４０は、貫通孔２１の内部にて、噴霧方向が送風機３０からの気流の方向と同方向になるよう配置される。また、噴出管４０は、貫通孔２１の他端側面と噴出管４０の噴出孔４１の噴出端面とが面一となるよう配置される。これにより、送風機３０からの気流により、噴出管４０から噴出される液体、すなわち高速気流により霧状とされる噴霧液が貫通孔２１の内壁面に衝突することなく、且つ、圧力低下の少ない位置にて噴霧液における粒子径の微粒化、均一化を図ることができる。
【００２２】
液送管５０は、噴出管４０とタンク６０とを連結するものである。当該液送管５０の一端部は噴出管４０と連結され、他端部はタンク６０内に収容される液体内の底部に浸漬される。
【００２３】
タンク６０は、例えば２リットルの液体を収容可能とし、液送管５０の途中には、噴出管４０に液体を供給するためのポンプ６１を設けることもできる。また、ポンプ６１においては、噴出管４０へと供給する液体の流量を調整する切替手段を設けることができるのは勿論である。
【００２４】
また、送風機３０からの気流の一部をタンク６０内に送り込み、タンク６０内を加圧させるための加圧管（図示しない）を設け、これにより液送管５０を介して噴出管４０へと液体を供給する構成とすることもできる。係る構成においては、ポンプ６１を不要なものとすることでき、構造上において、より簡素化を図ることができる。
【００２５】
本実施例において、噴出管４０は、送風管２３における貫通孔２１の内部の中心位置にて、噴出管４０からの噴霧方向が送風機３０からの気流の方向と同方向になるように配置される。また、タンク６０の液体は、ポンプ６１を介して噴出管４０へ供給される。
【００２６】
このとき、噴出管４０の内径Ｄ１を直径８ｍｍとし、貫通孔２１の内径Ｄ２を直径２０ｍｍとし、送風管２３の内径Ｄ３を直径５０ｍｍとするとともに、貫通孔２１の長さ寸法Ｔを１０ｍｍとし、送風管２３内における送風機３０からの気流の圧力（送風管２３の内圧）を１５〜３５ｋＰａとなるよう設定することで、噴出管４０の噴出孔４１から噴出される噴霧液の平均粒子径を３５μｍ以下にすることができ、従来の噴霧器よりも噴霧液の平均粒子径を小さくすることができる。また、このとき、噴射孔４１から噴射される液体に対する送風機３０からの気流の質量流量比が１以上、より詳細には２〜５となり、低圧且つ大風量の気流によって、噴霧液の粒子径を均一にした状態で遠方まで噴霧することができる。
【００２７】
このようにして構成される噴霧器１０は、送風機３０からの気流が貫通孔２１から吐出される際、タンク６０内の液体を噴出管４０の噴出孔４１から噴出し、貫通孔２１によって形成される高速気流により噴霧液を散布する。
【００２８】
具体的には、噴出管４０における噴出孔４１の端面が送風機３０からの気流に対して直角となるよう固定されるため、ポンプ６１から供給される液体は噴霧方向へ押し出されながら滴下しようとするが、噴出される液体は当該端面から貫通孔２１により形成される高速気流によって、噴霧方向に薄く引き伸ばされて薄膜流となる。そして、当該薄膜流は高速気流により加速されて当該端面から離れる際、膜状態を維持することができず、表面張力により粉々にちぎれて微粒子状となり、空気中に噴出される。
【００２９】
また、噴出管４０の噴出孔４１は、貫通孔２１の他端側面と面一となる位置にて固定されるため、貫通孔２１から噴出される液体、すなわち高速気流により霧状とされた噴霧液は貫通孔２１の壁面に衝突することなく、微粒子状に噴霧される噴霧液の粒子径を均一にした状態で遠方まで噴霧することができる。
【００３０】
以上、説明した本発明の噴霧器１０によれば、農薬等の薬液や種々の液体を微粒子状且つ均一化した状態で、従来の噴霧器と比較して噴霧距離をさらに向上させることができる。また、噴出管４０における噴出孔４１の端面は、送風機３０からの気流に対して直角とされるものであり、噴出管４０の加工を容易に行うことができる。これにより、噴霧器の部品点数を削減することができるとともに、全体としての構造を簡素化することができ、メンテナンス性をも向上することができる。
【００３１】
また、上記実施例においては、貫通孔２１が送風管２３の端部に形成されるものであったが、図４に示すように、貫通孔２１に対する送風機３０からの気流の流量を調整する流量調整機構を設けることもできる。具体的には、流量調整機構は、送風管２３の他端部において外径方向に突出する当接部２５を設け、当該当接部２５に対応するようにして、所定寸法の貫通孔２１が形成された調整板２６をボルト等の固定手段２７を介して固定することで構成される。これにより、貫通孔２１の形状を適宜変更することで、噴霧液の粒子径を調整することができ、噴霧対象となる植物等に対して、より実用的な噴霧器とすることができる。
【００３２】
また、流量調整機構においては、これに限られることなく、貫通孔２１に対して、スライド可能に設けられ、スライド位置に応じて貫通孔２１の開口面積を調整可能とする調整板（図示しない）を設けることで噴霧液の粒子径を調整する構成とすることもできるし、その他構成を採用することができるのは勿論である。
【００３３】
上述した実施例において、ケーシング２０、貫通孔２１、噴出管４０の形状、寸法、材質等を適宜変更して実施することが可能である。また、一部構成を省略することができるし、一部抽出した構成とすることができるのは勿論である。
【符号の説明】
【００３４】
１０    噴霧器
２０    ケーシング
２１    貫通孔
２２    ケーシング本体
２３    送風管
２４    傾斜面
２５    当接部
２６    調整板
２７    固定手段
３０    送風機
４０    噴出管
４１    噴出孔
５０    液送管
６０    タンク
６１    ポンプ
【図１】
0006404204.tif 000002
【図２】
0006404204.tif 000003
【図３】
0006404204.tif 000004
【図４】
0006404204.tif 000005